(57)【要約】  本開示は、エアーマウスリモコンの最適化方法、装置およびエアーマウスリモコンに関する。モーションセンサーにより移動軌跡を収集し、エアーマウスモジュールは移動軌跡によりエアーマウスリモコン機能を実現し、エアーマウスコントロール信号を生成する。キーアセンブリーは、マイクロスイッチを有する２段階のキーパッドを備え、コントロールモジュールが２段階のキーパッドの第１段階のキーがクリックされたと検出した場合、無線通信モジュールにより前記ターミナルデバイスへ選定指令を送信し、カーソルを現行の位置へ固定させ、コントロールモジュールが２段階のキーパッドの第２段階のキーがクリックされたと検出した場合、前記無線通信モジュールはターミナルデバイスへ操作指令を送信する。２段階のスイッチにより、ユーザが第１段階のキーをクリックした場合、選択しているウィジェットをロックし、第２段階のキーがクリックされた場合、当該ウィジェットを実行するとみなし、ユーザがクリックをする過程における手の移動が画面上のカーソルの移動を引き起こさないと保証し、エアーマウスリモコンのクリック操作の正確性を高める。
2018505454.tif 000002
【特許請求の範囲】
【請求項１】
コントロールモジュールと、エアーマウスモジュールと、モーションセンサーと、無線通信モジュールと、キーアセンブリーと、電源モジュールと、を含むエアーマウスリモコンであって、
前記モーションセンサーは前記エアーマウスモジュールと接続され、前記エアーマウスモジュール、前記無線通信モジュール、前記キーアセンブリーおよび前記電源モジュールは前記コントロールモジュールとそれぞれ接続され、前記モーションセンサーは前記エアーマウスリモコンの移動軌跡を収集し、前記エアーマウスモジュールは、前記移動軌跡によりエアーマウスリモコン機能を実現し、エアーマウスコントロール信号を生成し、前記コントロールモジュールは、前記無線通信モジュールにより前記エアーマウスコントロール信号をターミナルデバイスへ送信し、対応するカーソルの移動をコントロールし、
前記キーアセンブリーはマイクロスイッチを有する２段階のキーパッドを備え、前記コントロールモジュールが前記２段階のキーパッドの第１段階のキーがクリックされたと検出した場合、前記無線通信モジュールにより前記ターミナルデバイスへ選定指令を送信し、前記カーソルを現行の位置へ固定させ、前記コントロールモジュールが前記２段階のキーパッドの第２段階のキーがクリックされたと検出した場合、前記無線通信モジュールによりターミナルデバイスへ操作指令を送信し、ターミナルデバイスに前記カーソルの所在位置に対応する操作を実行させることを特徴とするエアーマウスリモコン。
【請求項２】
前記モーションセンサーはジャイロスコープであることを特徴とする請求項１に記載のエアーマウスリモコン。
【請求項３】
前記無線通信モジュールは、ブルートゥース（登録商標）通信ユニット、赤外線通信ユニットおよび２.４Ｇヘルツの無線通信ユニットのうちの少なくとも１つを含むことを特徴とする請求項２に記載のエアーマウスリモコン。
【請求項４】
前記エアーマウスリモコンは、前記コントロールモジュール、前記エアーマウスモジュール、前記モーションセンサー、前記無線通信モジュールおよび電源モジュールが内蔵されるボディケースをさらに備え、前記キーアセンブリーは前記ボディケースの外側の一面に設置されることを特徴とする請求項１ないし請求項３のいずれかに記載のエアーマウスリモコン。
【請求項５】
前記エアーマウスリモコンは、インジケーター・ライトをさらに備え、前記インジケーター・ライトは前記ボディケースに設置され、前記インジケーター・ライトは前記電源モジュールに接続されることを特徴とする請求項４に記載のエアーマウスリモコン。
【請求項６】
請求項１ないし請求項５のいずれかのエアーマウスリモコンに適用される最適化方法であって、
２段階のキーパッドの第１段階のキーがクリックされたと検出した場合、ターミナルデバイスへ選定指令を送信し、前記ターミナルデバイスにカーソル位置をロックさせるステップと、
２段階のキーパッドの第２段階のキーがクリックされたと検出した場合、前記ターミナルデバイスへ操作指令を送信し、前記ターミナルデバイスにカーソルがロックしている位置のウィジェットに対応する操作を実行させるステップと、を含むことを特徴とするエアーマウスリモコンの最適化方法。
【請求項７】
前記２段階のキーパッドの第１段階のキーがクリック操作の取り消しを検出した場合、前記ターミナルデバイスへ選定の取り消し指令を送信し、前記ターミナルデバイスに前記エアーマウスリモコンの対応するカーソルのロックを取り消しさせるステップをさらに含むことを特徴とする請求項６に記載のエアーマウスリモコンの最適化方法。
【請求項８】
エアーマウスリモコンの送信した選定指令を受信するステップと、
前記選定指令に基づき、前記エアーマウスリモコンの対応するカーソルを操作画面上の現行の位置にロックするステップと、
エアーマウスリモコンの送信した操作指令を受信した場合は、カーソルがロックしている前記現行の位置のウィジェットに対応する操作を実行するステップと、を含むことを特徴とするエアーマウスリモコンの最適化方法。
【請求項９】
前記エアーマウスリモコンが送信したロックの取り消し指令を受信した場合、前記カーソルのロックを取り消すステップをさらに含むことを特徴とする請求項８に記載のエアーマウスリモコンの最適化方法。
【請求項１０】
エアーマウスリモコンが送信した選定指令を受信するように構成される受信モジュールと、
前記選定指令に基づいて、前記エアーマウスリモコンの対応するカーソルを操作画面上の現行の位置にロックする処理モジュールと、を含み、
前記処理モジュールは、前記エアーマウスリモコンの送信した操作指令を受信した場合、カーソルがロックしている前記現行の位置のウィジェットに対応する操作を実行することを特徴とするエアーマウスリモコンの最適化装置。
【請求項１１】
前記処理モジュールは、さらに、前記受信モジュールが前記エアーマウスリモコンの送信したロックの取り消し指令を受信した場合、前記カーソルのロックを取り消すことを特徴とする請求項１０に記載のエアーマウスリモコンの最適化装置。
【発明の詳細な説明】
【技術分野】
【０００１】
本開示は、スマート機器に関し、特に、エアーマウスリモコンの最適化方法、装置およびエアーマウスリモコンに関する。
【背景技術】
【０００２】
現在、スマートホーム業界の発展にともない、エアーマウスリモコンの応用もさらに普及しており、次第に従来のリモコンに代わって、スマートテレビなどのターミナルデバイスに対してコントロールを行っている。普通のエアーマウスリモコンはモーションセンサーを用いて移動軌跡を識別し、且つターミナルデバイスのスクリーン上にマウスとカーソルのマッピング操作方法をシミュレーションし、エアーマウスリモコンの移動によりスクリーン上の操作画面をマッピングし、ユーザがクリックした場合、カーソルにより対応する操作を選択する。しかしながら、ユーザがクリック操作をする過程では手に一定の移動が発生し、それをモーションセンサーは動きと検出するため、スクリーンにマッピングされたカーソルにより選定した位置にも移動の発生が引き起こされてしまい、クリック操作の正確性が低くなり、ユーザ体験が悪い。
【発明の概要】
【発明が解決しようとする課題】
【０００３】
上述したユーザがクリック操作をする過程では手に一定の移動が発生し、それをモーションセンサーは動きと検出し、スクリーンにマッピングされたカーソルにより選定した位置にも移動の発生が引き起こされてしまい、クリック操作の正確性が低くなり、ユーザ体験が悪いという問題を解決するため、本開示はエアーマウスリモコンの最適化方法、装置およびエアーマウスリモコンを提供する。
【課題を解決するための手段】
【０００４】
本開示の第１の様態によれば、エアーマウスリモコンを提供する。前記装置は、コントロールモジュールと、エアーマウスモジュールと、モーションセンサーと、無線通信モジュールと、キーアセンブリーと、電源モジュールと、を含み、
前記モーションセンサーは前記エアーマウスモジュールと接続され、前記エアーマウスモジュール、前記無線通信モジュール、前記キーアセンブリーおよび前記電源モジュールは前記コントロールモジュールとそれぞれ接続され、前記モーションセンサーは前記エアーマウスリモコンの移動軌跡を収集し、前記エアーマウスモジュールは、前記移動軌跡によりエアーマウスリモコン機能を実現し、エアーマウスコントロール信号を生成し、前記コントロールモジュールは、前記無線通信モジュールにより前記エアーマウスコントロール信号をターミナルデバイスへ送信し、対応するカーソルの移動をコントロールし、
前記キーアセンブリーがマイクロスイッチを備えた２段階のキーパッドを備え、前記コントロールモジュールが前記２段階のキーパッドの第１段階のキーがクリックされたと検出した場合、前記無線通信モジュールにより前記ターミナルデバイスへ選定指令を送信し、前記カーソルを現行の位置へ固定させ、前記コントロールモジュールが前記２段階のキーパッドの第２段階のキーがクリックされたと検出した場合、前記無線通信モジュールによりターミナルデバイスへ操作指令を送信し、ターミナルデバイスに前記カーソルの所在位置に対応する操作を実行させる。
【０００５】
好ましくは、前記モーションセンサーはジャイロスコープである。
【０００６】
好ましくは、前記無線通信モジュールは、ブルートゥース（登録商標）通信ユニット、赤外線通信ユニットおよび２.４Ｇ ヘルツの無線通信ユニットのうち、少なくとも一つを含む。
【０００７】
さらに、前記エアーマウスリモコンは、前記コントロールモジュール、前記エアーマウスモジュール、前記モーションセンサー、前記無線通信モジュールおよび電源モジュールが内蔵されるボディケースを備え、前記キーアセンブリーは前記ボディケースの外側の一面に設置される。
【０００８】
好ましくは、前記エアーマウスリモコンは、インジケーター・ライトをさらに備え、前記インジケーター・ライトは前記ボディケースに設置され、前記インジケーター・ライトは前記電源モジュールに接続される。
【０００９】
本開示の実施例にかかる技術案は、新型のエアーマウスリモコンを提供し、コントロールモジュール、エアーマウスモジュールおよびモーションセンサーのほか、キーパッドを２段階のキーパッドパッドに設定し、ユーザが第１段階のキーをクリックしたとき、無線通信モジュールによりロックの指令を送信し、ターミナルデバイスにカーソルの位置をロックさせることで、続けて第２段階のキーのクリック過程において、ユーザの手が移動することによりカーソルが移動せず、第２段階のキーのクリック時にカーソルが選定しているウィジェットを実行する。こうして、クリックする過程におけるユーザの手の移動を減少させ、エアーマウスリモコン使用の操作の正確性を高め、ユーザ体験を高める。
【００１０】
本開示の第２の様態によれば、第１の様態における前記エアーアウスに適用するエアーマウスリモコンの最適化方法を提供する。前記方法は、
２段階のキーパッドの第１段階のキーがクリックされたと検出した場合、ターミナルデバイスへ選定指令を送信し、前記ターミナルデバイスにカーソル位置をロックさせるステップと、
２段階のキーパッドの第２段階のキーがクリックされたと検出した場合、前記ターミナルデバイスへ操作指令を送信し、前記ターミナルデバイスにカーソルがロックしている位置のウィジェットに対応する操作を実行させるステップと、を含む。
【００１１】
好ましくは、前記方法は、
前記２段階のキーパッドの第１段階のキーがクリック操作の取り消しを検出した場合、前記ターミナルデバイスへ選定の取り消し指令を送信し、前記ターミナルデバイスに前記エアーマウスリモコンの対応するカーソルのロックを取り消しさせるステップ、をさらに含む。
【００１２】
本開示の実施例にかかる技術案は第１の様態におけるエアーマウスリモコンをベースにするものであり、クリックの状態の検出により、ターミナルデバイスへ異なるコントロール指令を送信する。ユーザが第１段階のキーをクリックすると選定指令を送信し、ターミナルデバイスにカーソル位置をロックさせ、第２段階のキーがクリックされる場合に操作指令を送信する。こうして、ユーザが操作をする過程における手の移動によるカーソル位置の移動距離を減少させ、選定したウィジェットが不正確であるという問題点を避ける。
【００１３】
本開示の第３の様態によれば、エアーマウスリモコンの最適化方法を提供する。前記方法は、
エアーマウスリモコンの送信した選定指令を受信するステップと、
前記選定指令に基づき、前記エアーマウスリモコンの対応するカーソルを操作画面上の現行の位置にロックするステップと、
エアーマウスリモコンの送信した操作指令を受信した場合は、カーソルがロックしている前記現行の位置のウィジェットに対応する操作を実行するステップと、を含む。
【００１４】
好ましくは、前記方法は、
エアーマウスリモコンが送信したロックの取り消し指令を受信した場合、前記カーソルのロックを取り消すステップをさらに含む。
【００１５】
本開示の実施例にかかる技術案は、動作の主体をターミナルデバイスとし、当該エアーマウスリモコンを改善した後、既存のものとの違いは２回の指令を送信しなければ実行しないということであり、これにより対応するターミナルデバイスは２回の指令を受信する必要があり、選定指令を受信した後にカーソルを操作画面上の位置にロックし、続けて操作指令を受信した場合、カーソルの所在位置のウィジェットへの操作を実行し、ロックの取り消し指令を受信した場合は、カーソルのロックを取り消し、カーソルを続けて移動できるようにし、ユーザ体験を効果的に高める。
【００１６】
本開示の第４の様態によれば、エアーマウスリモコンの最適化装置を提供し、
エアーマウスリモコンが送信した選定指令を受信するように構成される受信モジュールと、
前記選定指令に基づいて、前記エアーマウスリモコンの対応するカーソルを操作画面上の現行の位置にロックする処理モジュールと、を含み、
前記処理モジュールは、前記エアーマウスリモコンの送信した操作指令を受信した場合に、カーソルがロックしている前記現行の位置のウィジェットに対応する操作を実行するる。
【００１７】
好ましくは、前記処理モジュールは、さらに、前記受信モジュールが前記エアーマウスリモコンの送信したロックの取り消し指令を受信した場合、前記カーソルのロックを取り消す。
【発明の効果】
【００１８】
本開示の実施例にかかる技術案においては、当該最適化装置はターミナルデバイスに相当し、当該エアーマウスリモコンを改善した後、受信モジュールは２回の指令を受信する必要があり、選定指令を受信した後にカーソルを操作画面上の位置にロックし、続けて操作指令を受信した場合、処理モジュールはカーソルが所在する位置のウィジェットの操作を実行し、ロックの取消しの指令を受信した場合は、処理モジュールはカーソルのロックを取り消し、カーソルを移動できるようにする。エアーマウスリモコンに対し２段階のキーパッドと設定することより、ユーザの操作過程における手の移動がカーソルの選択を不正確にするという問題点を避け、エアーマウスリモコンの選択の正確性を高め、ユーザ体験を効果的に高める。
【００１９】
上述した一般的な記述およびあと続する詳細な記述は、単に例示的および解釈的なものであり、本発明を制限できるものでないと理解されるべきである。
【図面の簡単な説明】
【００２０】
ここでの図面は、明細書を構成する一部として見なされ、本開示に適した実施例を示し、かつ、明細書の文字記載とともに本開示の仕組みを解釈するために用いられる。
【図１】一実施例にかかるエアーマウスリモコンの実施例一を示す構造模式図である。
【図２】一実施例にかかるエアーマウスリモコンの最適化方法の実施例一を示すフローチャートである。
【図３】一実施例にかかるエアーマウスリモコンの最適化方法の実施例二を示すフローチャートである。
【図４】一実施例にかかるエアーマウスリモコンの最適化装置の実施例一を示すブロック図である。
【図５】一実施例にかかるターミナルデバイスの実体を示すブロック図である。
【図６】一実施例にかかるターミナルデバイス８００に用いるブロック図である。
【発明を実施するための形態】
【００２１】
次に、実施例を詳細に説明し、例示が図に示されている。以下の記述が図にかかる場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００２２】
図１は、一実施例にかかるエアーマウスリモコンの実施例一を示す構造模式図である。図１に示すように、当該エアーマウスリモコンは、コントロールモジュールと、エアーマウスモジュールと、モーションセンサーと、無線通信モジュールと、キーアセンブリーと、電源モジュールと、を含む。電源モジュールは、コントロールモジュールおよびコントロールモジュールに接続されるその他の部品に電源を提供する。
【００２３】
前記モーションセンサーは前記エアーマウスモジュールと接続され、前記エアーマウスモジュール、前記無線通信モジュール、前記キーアセンブリーおよび前記電源モジュールは前記コントロールモジュールとそれぞれ接続され、前記モーションセンサーは前記エアーマウスリモコンの移動軌跡を収集する。前記エアーマウスモジュールは、前記移動軌跡によりエアーマウスリモコン機能を実現し、エアーマウスコントロール信号を生成する。前記コントロールモジュールは、前記無線通信モジュールにより前記エアーマウスコントロール信号をターミナルデバイスへ送信し、対応するカーソルの移動をコントロールする。
【００２４】
前記キーアセンブリーは、マイクロスイッチを有する２段階のキーパッドを備える。前記コントロールモジュールが前記２段階のキーパッドの第１段階のキーがクリックされたと検出した場合、前記無線通信モジュールにより前記ターミナルデバイスへ選定指令を送信し、前記カーソルを現行の位置へ固定させ、前記コントロールモジュールが前記２段階のキーパッドの第２段階のキーがクリックされたと検出した場合、前記無線通信モジュールによりターミナルデバイスへ操作指令を送信し、ターミナルデバイスに前記カーソルの所在位置に対応する操作を実行させる。
【００２５】
本開示の実施例では、コントロールモジュールはシングルシップコンピューターのチップまたは汎用プロセッサの使用もでき、関連のアプリケーションと結合して実現する。モーションセンサーはジャイロスコープを使用して実現でき、すなわち具体的な解決手段では、前記モーションセンサーはジャイロスコープである。
【００２６】
ジャイロスコープは角運動検出装置であり、回転軸の回転角速度を測量することができ、且つ導出により回転軸の回転角度を得られる。ジャイロスコープが広範に用いられているのは、一つは止軸性、もう一つは歳差運動性という２つの基本的な特性によるもので、この２つの特性は角運動量保存の法則のもとに確立されている。ジャイロスコープは多くの種類を有し、ジャイロ方向計、ジャイロコンパス、ジャイロ垂直計、ジャイロ安定器、レートジャイロ、ジャイロ安定的ステージ、ジャイロセンサ、光ファイバジャイロ、ジャイロセンサ、Ｍｅｍｓジャイロなどを含む。ジャイロセンサは自由空間の移動およびジェスチャの位置決めとコントロールシステムに基づき、現在すでにスマートフォン、スマートテレビのリモコンなどの設備に広く応用されている。ジャイロスコープは仮想平面上で揺り動き且つカーソルを移動させることができ、リンクの周りに円を描きキーをクリックする。ジャイロセンサはゲームの更なる可能性を開拓し、体験を増強することなどができる。
【００２７】
さらに、前記無線通信モジュールは、ブルートゥース（登録商標）通信ユニット、赤外線通信ユニットおよび２.４Ｇ ヘルツの無線通信ユニットのうち、少なくとも一つを含む。
【００２８】
当該エアーマウスリモコンとコントロールされるターミナルデバイス間の通信を実現するために採用できる方法は、赤外線信号伝送、あるいはブルートゥース（登録商標）伝送であり、ブルートゥース（登録商標）伝送を使用する場合はエアーマウスリモコンならびにターミナルデバイス間にブルートゥース（登録商標）接続を確立しなければならない。あるいは専用の２.４ＧＨｚの共通周波数の無線通信方法を採用し、当該２.４ＧＨｚの重量周確率は従来の周波数のリモコンよりもはるかに低く、また２.４ＧＨｚの電磁波は直線性が良くアンテナは短く使用に便利であり、さらに２.４ＧＨｚのリモコンは利用可能な周波数ポイントが多くあり、さらに２.４ＧＨｚの無線電波回折能力が強く、障害物に遮られたとしても容易にコントロールを失わない。
【００２９】
また、具体的な実現における前記エアーマウスリモコンは、前記コントロールモジュール、前記エアーマウスモジュール、前記モーションセンサー、前記無線通信モジュールおよび電源モジュールを内蔵するボディケースを含む。前記キーアセンブリーは前記ボディケースの外側の一面に設置される。当該エアーマウスリモコンの確認キーおよび/またはその他のキーはマイクロスイッチを有する２段階のキーパッドと造り、ユーザの操作に供する。
【００３０】
さらに、前記エアーマウスリモコンは、インジケーター・ライトをさらに備える。前記インジケーター・ライトは前記ボディケースに設置され、前記インジケーター・ライトは前記電源モジュールに接続される。
【００３１】
本開示の実施例が提供するエアーマウスリモコンは、コントロールモジュール、エアーマウスモジュールおよびモーションセンサーのほか、キーパッドを２段階のキーパッドパッドに設定し、ユーザが第１段階のキーをクリックしたとき、無線通信モジュールによりロックの指令を送信し、ターミナルデバイスにカーソルの位置をロックさせることで、続けて第２段階のキーのクリック過程において、ユーザの手が移動することによりカーソルが移動せず、第２段階のキーのクリック時にカーソルが選定しているウィジェットを実行する。こうして、クリックする過程におけるユーザの手の移動を減少させ、エアーマウスリモコン使用の操作の正確性を高め、ユーザ体験を高める。
【００３２】
図２は、一実施例によるエアーマウスリモコンの最適化方法の実施例一を示すフローチャートである。図２に示すように、当該最適化方法は上述した図１のエアーマウスリモコンに用いられ、具体的な実施ステップは下記のとおりである。
【００３３】
ステップＳ１０１において２段階のキーパッドの第１段階のキーがクリックされたと検出した場合、ターミナルデバイスへ選定指令を送信し、前記ターミナルデバイスにカーソル位置をロックさせる。
【００３４】
本ステップにおいて、エアーマウスリモコンの２段階のキーパッドはユーザの操作に基づいてユーザの操作の程度を検出できる。ここでの２段階のキーパッドとはカメラにおける２段階のシャッターボタンに相当し、そのうち第１段階のキーが軽くクリックされただけでコントロールモジュールに対応する応答メッセージを送信し、コントロールモジュールは当該メッセージに基づいて選定指令を生成し、当該指令を遠隔操作されているターミナルデバイスへ送信する。送信方法はブルートゥース（登録商標）、ワイヤレスネットワーク、近距離無線通信あるいは赤外線伝送などでもよい。
【００３５】
当該選定指令はターミナルデバイスにカーソルの現行の位置をロックするよう指示することに用いられ、ターミナルデバイスに当該エアーマウスリモコンの対応する現行の位置をロックさせる。すなわち当該第１段階のキーが取り消し操作をされる前は、当該カーソルは当該エアーマウスリモコンの移動に従わない。
【００３６】
ステップＳ１０２において、２段階のキーパッドの第２段階のキーがクリックされたと検出した場合、前記ターミナルデバイスに操作指令を送信し、前記ターミナルデバイスにカーソルがロックしている位置のウィジェットに対応する操作を実行させる。
【００３７】
本ステップにおいて、エアーマウスリモコン側が、ユーザが第２段階のキーをクリックしたとさらに検出した場合、ユーザが現在選択しているウィジェットに対して操作を行うとみなす。上述した方法に類似しており、コントロールモジュールは操作指令を生成し、当該操作指令はターミナルデバイスが現在選定しているウィジェットを実行することに用いられる。２段階のキーパッドのアプリケーションにおいて、第２段階のキーをクリックするにはさらに力を加える必要があり、これにより第２段階のキーを操作する過程においてユーザの手には比較的大きな変位がある。当該方法を採用することで、第２段階のキーが続けて押されることを避けられ、カーソルの位置が固定され、選定したウィジェットが変化しない。
【００３８】
ステップＳ１０３において、前記２段階のキーパッドの第１段階のキーがクリック操作の取り消しを検出した場合、前記ターミナルデバイスへ選定の取り消し指令を送信し、前記ターミナルデバイスに前記エアーマウスリモコンの対応するカーソルのロックを取り消しさせる。
【００３９】
当該ステップＳ１０３および上述Ｓ１０２は並列できるとの意味は、ユーザが当該２段階のキーパッドの第１段階のキーをクリックした後、続けて第２段階のキーをクリックすれば、ステップＳ１０２の方法に従って実行する。ユーザが当該２段階のキーパッドの第１段階のキーをクリックした後、第１段階のクリック操作を取り消しすれば、ステップＳ１０３の方法を実行する、との意味である。
【００４０】
すなわち、ユーザが第１段階のキーをはなした場合、今回の操作をユーザは放棄したとみなし、コントロールモジュールは選定の取り消し指令を生成し且つターミナルデバイスに送信し、ターミナルデバイスにカーソルのロックを取り消しさせる。その後、カーソルはエアーマウスリモコンの位置に基づいてターミナルデバイスの操作画面上で移動を継続し、且つユーザの操作に基づいて新たなウィジェットを選定する。
【００４１】
また、ステップＳ１０２における操作の実行を終えた後、ターミナルデバイス上のウィジェットに操作をした後、この時カーソルをロックする必要はなくかえってロックを取り消し、エアーマウスリモコンの移動に基づいて操作画面上を移動する。
【００４２】
本開示の実施例が提供するエアーマウスリモコンの最適化方法は、図１のエアーマウスリモコンに基づく方法である。クリックの状態の検出により、ターミナルデバイスへ異なるコントロール指令を送信する。ユーザが第１段階のキーをクリックすると選定指令を送信し、ターミナルデバイスにカーソル位置をロックさせ、第２段階のキーがクリックされる場合に操作指令を送信する。こうして、ユーザが操作をする過程における手の移動によるカーソル位置の移動距離を減少させ、選定したウィジェットが不正確であるという問題点を避け、ユーザ体験を高める。
【００４３】
図３は一実施例によるエアーマウスリモコン最適化方法の実施例二を示すフローチャートであり、図３の示すように、当該方法は遠隔操作されるターミナルデバイス側に応用され、たとえば、スマートテレビ、映写機などに用いられる。当該エアーマウスリモコンの最適化方法の具体的な実施ステップは以下通りである。
【００４４】
ステップＳ２０１において、エアーマウスリモコンの送信した選定指令を受信する。
【００４５】
ステップＳ２０２において、前記選定指令に基づいて、前記エアーマウスリモコンの対応するカーソルを操作画面上の現行の位置にロックする。
【００４６】
ステップＳ２０３において、前記エアーマウスリモコンの送信した操作指令を受信した場合は、カーソルがロックしている前記現行の位置のウィジェットに対応する操作を実行する。
【００４７】
好ましくは、ステップＳ２０４において、前記エアーマウスリモコンが送信したロックの取り消し指令を受信した場合、前記カーソルのロックを取り消す。
【００４８】
本開示において、ターミナルデバイスはエアーマウスリモコンの送信した選定指令の受信に基づくことができ、操作画面上のカーソルの位置を固定し、選択されたウィジェットを実行する操作指令を受信するまで、あるいは操作指令の取り消しを受信した後、カーソルのロックを取り消す。
【００４９】
当該方法におけるステップＳ２０３およびステップＳ２０４は並列のステップであり、指令の種類に応じて択一的に実行可能であり、それは、当該エアーマウスリモコンの確認キーはマイクロスイッチを有する２段階のキーパッドとし、第１段階のキーをクリックされた後、ターミナルデバイスはエアーマウスリモコンあるいはエアーマウスリモコンのカーソルの移動を凍結し、エアーマウスリモコンの操作の正確性を大幅に最適化することを意味する。
【００５０】
本開示の実施例が提供するエアーマウスリモコンの最適化方法は、動作の主体をターミナルデバイスとし、当該エアーマウスリモコンを改善した後、既存のものとの違いは２回の指令を送信しなければ実行しないということであり、これにより対応するターミナルデバイスは２回の指令を受信する必要があり、選定指令を受信した後にカーソルを操作画面上の位置にロックし、続けて操作指令を受信した場合、カーソルの所在位置のウィジェットへの操作を実行し、ロックの取り消し指令を受信した場合は、カーソルのロックを取り消し、カーソルを続けて移動できるようにし、ユーザ体験を効果的に高める。
【００５１】
図４は一実施例によるエアーマウスリモコン最適化装置の実施例一を示すブロック図である。図４の示すように、当該エアーマウスリモコンの最適化装置１０は、
エアーマウスリモコンが送信した選定指令を受信するように構成される受信モジュール１１と、
前記選定指令に基づいて、前記エアーマウスリモコンの対応するカーソルを操作画面上の現行の位置にロックする処理モジュール１２と、を含む。
【００５２】
さらに、前記処理モジュール１２は、前記受信モジュール１１が前記エアーマウスリモコンの送信した操作指令を受信する場合、カーソルがロックしている前記現行の位置のウィジェットに対応する操作を実行する。
【００５３】
好ましくは、前記処理モジュール１２は、前記受信モジュール１１が前記エアーマウスリモコンの送信したロックの取り消し指令を受信する場合、前記カーソルのロックを取り消す。
【００５４】
上記各実施例のエアーマウスリモコン最適化装置における各モジュールが操作を実行する具体的な方式は、図３が示す方法の実施例で詳しく記述されたため、ここで細部に説明しない。
【００５５】
本実施例が提供するエアーマウスリモコンの最適化方法は、すなわち遠隔操作されるターミナルデバイスであり、当該エアーマウスリモコンを改善した後、受信モジュールは２回の指令を受信する必要があり、選定指令を受信した後にカーソルを操作画面上の位置にロックし、続けて操作指令を受信した場合、処理モジュールはカーソルが所在する位置のウィジェットの操作を実行し、ロックの取消しの指令を受信した場合は、処理モジュールはカーソルのロックを取り消し、カーソルを移動できるようにする。エアーマウスリモコンに対し２段階のキーパッドと設定することより、ユーザの操作過程における手の移動がカーソルの選択を不正確にするという問題点を避け、エアーマウスリモコンの選択の正確性を高め、ユーザ体験を効果的に高める。
【００５６】
以上ではエアーマウスリモコンの最適化装置について記載し、すなわちターミナルデバイスの内部機能モジュールおよび構造模式を説明した。図５は一実施例によるターミナルデバイスの実態を示すブロック図である。図５を参照して、当該ターミナルデバイスは具体的には、メッセージを受信する受信機と、コントロールし実行可能指令を実行するプロセッサと、プロセッサの実行可能な指令を記憶するためのメモリとを含む。
【００５７】
受信機はエアーマウスリモコンの送信した選定指令を受信する。
【００５８】
プロセッサは、前記選定指令に基づいて、前記エアーマウスリモコンは対応するカーソルを操作画面上の現行の位置にロックし、受信機が前記エアーマウスリモコンの送信した操作指令を受信した場合に、カーソルがロックしている前記現行の位置のウィジェットに対応する操作を実行するように構成される。
【００５９】
また、プロセッサは、受信機が前記エアーマウスリモコンの送信したロックの取り消し指令を受信した場合、前記カーソルのロックを取り消す。
【００６０】
上述したターミナルデバイスの実態の実施例において、理解すべきは、プロセッサは中央処理装置(英語：Ｃｅｎｔｒａｌ Ｐｒｏｃｅｓｓｉｎｇ Ｕｎｉｔ，略称：ＣＰＵ)でよく、その他の汎用プロセッサ、デジタルシグナルプロセッサ(英語：ｄｉｇｉｔａｌ Ｓｉｇｎａｌ Ｐｒｏｃｅｓｓｏｒ，略称：ＤＳＰ)、特定用途向け集積回路(英語：Ａｐｐｌｉｃａｔｉｏｎ Ｓｐｅｃｉｆｉｃ Ｉｎｔｅｇｒａｔｅｄ Ｃｉｒｃｕｉｔ，略称：ＡＳＩＣ)などでもよい。汎用プロセッサはマイクロプロセッサでよく、あるいは当該プロセッサはいかなる従来のプロセッサなどでもよく、そして前述したプロセッサは読み取り専用メモリ(英語：ｒｅａｄ−ｏｎｌｙ ｍｅｍｏｒｙ，略称：ＲＯＭ)、ランダムアクセスメモリ(英語：ｒａｎｄｏｍ ａｃｃｅｓｓ ｍｅｍｏｒｙ，略称：ＲＡＭ)、フラッシュメモリ、ハードディスクあるいはソリッドステートドライブであってもよい。本発明の実施例で公開している方法のステップを組み合わせて、直接ハードウェアプロセッサの実行の完成を体現し、あるいはプロセッサにおけるハードウェアおよびソフトウェアモジュールを組み合わせて実行を完成する。
【００６１】
図８は、一実施例にかかるターミナルデバイス８００にもちいられるブロック図である。例えば、ターミナルデバイス８００は、インテリジェント端末、スマートテレビ、映写機、コンピュータ、デジタル放送端末、メッセージ送受信機器、ゲームコンソール、タブレットデバイス、医療設備、フィットネス機器、ＰＤＡなどであってもよい。
【００６２】
図８を参照すると、装置８００は、処理ユニット８０２、メモリ８０４、電源ユニット８０６、マルチメディアユニット８０８、オーディオユニット８１０、入力/出力（Ｉ／Ｏ）インターフェース８１２、センサユニット８１４、および、通信ユニット８１６のうちの１つまたは複数を含んでもよい。
【００６３】
処理ユニット８０２は、通常は、表示、電話発呼、データ通信、カメラ操作および記録操作に関連する操作のような、装置８００の全般操作を制御する。処理ユニット８０２は、上記方法の全部または一部のステップを実施させるように、指令を実行するための１つまたは複数のプロセッサ８２０を含んでもよい。また、処理ユニット８０２は、処理ユニット８０２と他のユニットとの間の相互作用を容易にするように、１つ又は複数のモジュールを含んでもよい。例えば、処理ユニット８０２は、マルチメディアユニット８０８と処理ユニット８０２との間の相互作用を容易にするように、マルチメディアモジュールを含んでもよい。
【００６４】
メモリ８０４は、各タイプのデータを記憶して装置８００での操作をサポートするように構成される。これらのデータの例示は、装置８００で操作するための任意のアプリケーションもしくは方法の指令、連絡人データ、電話帳データ、メッセージ、ピクチャ、ビデオなどを含む。メモリ８０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【００６５】
電源ユニット８０６は、装置８００のユニットのそれぞれに電力を供給する。電源ユニット８０６は、電源管理システム、１つまたは複数の電源、並びに、装置８００用の電力を生成、管理および配分するに関する他のユニットを含んでもよい。
【００６６】
マルチメディアユニット８０８は、前記装置８００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット８０８は、１つのフロントカメラおよび/またはバックカメラを含む。装置８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００６７】
オーディオユニット８１０は、オーディオ信号を出力および/または入力するように構成される。例えば、オーディオユニット８１０は、マイク（ＭＩＣ）を備え、装置８００が操作モード、例えば、発呼モード、記録モードおよび音声識別モードであるとき、マイクは、外部オーディオ信号を受信するように構成される。受信されたオーディオ信号は、さらに、メモリ８０４に格納される、または、通信ユニット８１６を介して送信されることができる。一部の実施例では、オーディオユニット８１０は、オーディオ信号を出力するためのスピーカをさらに含む。
【００６８】
Ｉ/Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【００６９】
センサユニット８１４は、様々な側面での状態推定を装置８００に供給するための１つまたは複数のセンサを含む。例えば、センサユニット８１４は、装置８００のオン/オフ状態、ユニットの相対位置を検出することができ、前記ユニットは、例えば、装置８００のディスプレイおよびキーパッドである。センサユニット８１４は、さらに、装置８００もしくは装置８００の１つのユニットの位置変更、ユーザと装置８００との接触の存在もしくは非存在、装置８００の方位もしくは加速/減速および装置８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサまたは温度センサを含んでもよい。
【００７０】
通信ユニット８１６は、装置８００と他の機器間の無線または有線方式の通信ができるように構成される。装置８００は、通信規格に基づく無線ネットワーク、例えば、ＷｉＦｉ、２Ｇもしくは３Ｇ、またはそれらの組合せにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、前記通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００７１】
実施例では、装置８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００７２】
実施例では、指令を含む非一時的コンピュータ読み取り可能な記憶媒体、例えば、指令を含むメモリ８０４をさらに提供し、上記指令が装置８００のプロセッサ８２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであってもよい。
【００７３】
非一時的なコンピューター可読記憶媒体であり、前記記憶媒体における指令が前記移動端末のプロセッサにより実行される場合、端末にエアーマウスリモコンの最適化方法を実行させ、前記方法は、
エアーマウスリモコンの送信した選定指令を受信するステップと、
前記選定指令に基づき前記エアーマウスリモコンの送信した操作指令を受信した場合、カーソルがロックしている前記現行の位置のウィジェットに対応する操作を実行するステップと、を含む。
【００７４】
前記エアーマウスリモコンが送信したロックの取り消し指令を受信した場合、前記カーソルのロックを取り消す。
【００７５】
当業者は明細書を考慮し、ここに公開された開示を実践した後、本開示の他の実施案を容易に想到する。本願は、本開示の如何なる変形、用途または適合もカバーすることを意図する。これらの変形、用途または適合は、本開示の一般的な仕組みに従い、かつ、本開示に公開されていない当分野における公知常識または慣用技術手段を含む。明細書および実施例は単なる例示と見なされ、本開示の本当の範囲および思想は添付する特許請求の範囲によって与えられる。
【００７６】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【００７７】
本発明は、出願番号が２０１５１０８０９８８４Ｘであり、出願日が２０１５年１１月２０日である中国特許出願を基に提出するものであり、当該中国特許出願の優先権を主張し、当該中国特許出願の全ての内容は、参照のため本願に援用される。
【図１】
2018505454.tif 000003
【図２】
2018505454.tif 000004
【図３】
2018505454.tif 000005
【図４】
2018505454.tif 000006
【図５】
2018505454.tif 000007
【図６】
2018505454.tif 000008
【国際調査報告】
2018505454.tif 000009
2018505454.tif 000010
2018505454.tif 000011
2018505454.tif 000012